(57)【要約】コンテンツ単位、またはシーン、あるいはフレーム単位で環境光に応じて信号変換処理を実行して出力画像を生成する装置、および方法を提供する。表示部に出力する画像信号の制御を実行するデータ処理部を有し、データ処理部は、表示部に表示するコンテンツ対応の表示制御アプリケーションを実行して、出力画像信号を生成する。データ処理部は、表示部の周囲の環境光情報を取得するセンサからセンサ検出信号を入力し、センサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する。
2016047287.tif 000002
【特許請求の範囲】
【請求項１】
表示部に出力する画像信号の制御を実行するデータ処理部を有し、
前記データ処理部は、
前記表示部に表示するコンテンツ対応の表示制御アプリケーションを実行して、出力画像信号を生成する構成であり、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御装置。
【請求項２】
前記表示制御アプリケーションは、コンテンツ単位、またはコンテンツを構成するシーン、あるいはフレーム単位の信号変換アルゴリズムを記録した構成を有し、
前記データ処理部は、
前記表示制御アプリケーションに規定された画像単位で、異なる信号変換アルゴリズムを適用した信号変換処理を実行する請求項１に記載の画像表示制御装置。
【請求項３】
前記データ処理部は、
前記コンテンツオリジナルの入力画像信号に含まれる輝度信号および色差信号の少なくともいずれかの信号に対して、
コンテンツ単位、またはコンテンツを構成するシーン、あるいはフレーム単位で、異なる信号変換処理を実行して出力画像信号を構成する輝度信号または色差信号を生成する請求項１に記載の画像表示制御装置。
【請求項４】
前記データ処理部は、
前記コンテンツオリジナルの入力画像信号に対して、
コンテンツ単位、またはコンテンツを構成するシーン、あるいはフレーム単位で、異なるホワイトバランス調整処理、またはガンマ補正処理、または色温度調整処理の少なくともいずれかの処理を実行して出力画像信号を生成する請求項１に記載の画像表示制御装置。
【請求項５】
前記表示制御アプリケーションは、
コンテンツの再生時間情報と各再生時間に対応する画像信号に適用する信号変換アルゴリズムを規定したアプリケーションであり、
前記データ処理部は、
前記表示制御アプリケーションから、コンテンツの再生時間に対して規定された信号変換アルゴリズムを、順次選択適用して出力画像信号を生成する請求項１に記載の画像表示制御装置。
【請求項６】
前記信号変換アルゴリズムは、前記センサ検出信号に応じて変換態様が変更されるアルゴリズムであり、
前記データ処理部は、
前記センサ検出信号に応じた異なる信号変換処理によって、環境光に応じて異なる出力画像信号を生成する請求項１に記載の画像表示制御装置。
【請求項７】
前記データ処理部は、
前記センサ検出信号に基づくパラメータを算出し、
算出したパラメータを前記信号変換アルゴリズムに適用して、環境光に応じて異なる出力画像信号を生成する請求項１に記載の画像表示制御装置。
【請求項８】
前記センサ検出信号は、輝度信号と色差信号を含み、
前記データ処理部は、
前記センサ検出信号に含まれる輝度信号と色差信号に基づくパラメータを算出し、
算出したパラメータを前記信号変換アルゴリズムに適用して、環境光に応じて異なる出力画像信号を生成する請求項１に記載の画像表示制御装置。
【請求項９】
表示部に表示するコンテンツと、該コンテンツに対応する表示制御アプリケーションを、通信部を介して送信するデータ処理部を有し、
前記表示制御アプリケーションは、
表示部周囲の環境光情報を取得するセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理によって出力画像信号を生成させるプログラムを記録したアプリケーションである送信装置。
【請求項１０】
前記表示制御アプリケーションは、
前記コンテンツオリジナルの入力画像信号に含まれる輝度信号および色差信号の少なくともいずれかの信号に対して、
コンテンツ単位、またはコンテンツを構成するシーン、あるいはフレーム単位で、異なる信号変換処理を実行して出力画像信号を構成する輝度信号または色差信号を生成させるプログラムを記録したアプリケーションである請求項９に記載の送信装置。
【請求項１１】
前記表示制御アプリケーションは、
前記コンテンツオリジナルの入力画像信号に対して、
コンテンツ単位、またはコンテンツを構成するシーン、あるいはフレーム単位で、異なるホワイトバランス調整処理、またはガンマ補正処理、または色温度調整処理の少なくともいずれかの処理を実行して出力画像信号を生成させるプログラムを記録したアプリケーションである請求項９に記載の送信装置。
【請求項１２】
画像表示制御装置において実行する画像表示制御方法であり、
前記画像表示制御装置は、表示部に出力する画像信号の制御を実行するデータ処理部を有し、
前記データ処理部は、
前記表示部に表示するコンテンツ対応の表示制御アプリケーションを実行して、出力画像信号を生成する処理を実行し、
前記出力画像信号の生成処理において、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御方法。
【請求項１３】
画像表示制御装置において出力画像信号生成処理を実行させるプログラムであり、
前記プログラムは、表示部に表示するコンテンツ対応の表示制御アプリケーションであり、
表示部の周囲の環境光情報であるセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成するプログラム。
【発明の詳細な説明】
【技術分野】
【０００１】
本開示は、画像表示制御装置、送信装置、および画像表示制御方法、並びにプログラムに関する。さらに詳細には、例えばテレビ等の視聴環境における明るさや環境光の色に応じて、番組単位、あるいはシーン単位に出力画像の明るさや色を制御する画像表示制御装置、送信装置、および画像表示制御方法、並びにプログラムに関する。
【背景技術】
【０００２】
テレビに備えられた光センサや照度センサにより、テレビの視聴環境の明るさを検出し、検出値に応じてテレビの出力画像の輝度を変更する構成は従来から知られている。例えば、特許文献１（特開２００５−２３６５２０号公報）は、センサ検出値に応じて出力画像の輝度制御を行う構成を開示している。【０００３】
しかし、これまでの従来技術に開示された構成は、テレビに表示される全てのコンテンツ（番組）に対して一律の輝度制御を行うものに過ぎなかった。
具体的には、視聴環境が明るければ、テレビの出力画像の輝度を高めに設定し、視聴環境が暗い場合は、出力画像の輝度を低めに設定するといった一律の制御を行うものであった。
【先行技術文献】
【特許文献】
【０００４】
【特許文献１】特開２００５−２３６５２０号公報
【発明の概要】
【発明が解決しようとする課題】
【０００５】
上述したように、従来のテレビ等の表示装置に対する画像出力制御は、視聴環境に応じて一律に表示装置の出力画像を画一的に制御してしまう。
例えば、番組単位や、シーン単位の出力制御を行う構成ではない。【０００６】
テレビ番組や、番組を構成するシーンには様々な画像が含まれ、同じ明るさや同じ色の光源下でテレビを見る場合でも、番組やシーンに応じて異なる表示制御を行うことで、最適な画像出力を行うことが可能となる。【０００７】
例えば、深海の濃い青を強調した画像を出力するためには、青を強調した画像を出力する青色強調用の制御アルゴリズムを適用して出力信号を調整することが有効である。
一方、夕日が沈む画像を表示する場合に赤い色を強調するためには、やはり視聴環境に応じて決定した赤色強調用の制御アルゴリズムに従って出力色を制御することが必要である。【０００８】
画像制御アルゴリズムは、視聴環境における環境光の明るさや環境光色のみならず、表示シーンに応じて異なるアルゴリズムとすることで、表示シーンに最適な調整画像を生成することが可能である。
すなわち、表示画像に応じて制御態様を変更することで、出力画像のシーンに応じた最適な制御が可能となる。
本開示は、テレビ等の表示装置の視聴環境に応じた出力信号の制御態様を番組単位、あるいはシーン単位で変更することを可能とした画像表示制御装置、送信装置、および画像表示制御方法、並びにプログラムを提供することを目的とする。
【課題を解決するための手段】
【０００９】
本開示の第１の側面は、
表示部に出力する画像信号の制御を実行するデータ処理部を有し、
前記データ処理部は、
前記表示部に表示するコンテンツ対応の表示制御アプリケーションを実行して、出力画像信号を生成する構成であり、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御装置にある。【００１０】
さらに、本開示の第２の側面は、
表示部に表示するコンテンツと、該コンテンツに対応する表示制御アプリケーションを、通信部を介して送信するデータ処理部を有し、
前記表示制御アプリケーションは、
表示部周囲の環境光情報を取得するセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理によって出力画像信号を生成させるプログラムを記録したアプリケーションである送信装置にある。【００１１】
さらに、本開示の第３の側面は、
画像表示制御装置において実行する画像表示制御方法であり、
前記画像表示制御装置は、表示部に出力する画像信号の制御を実行するデータ処理部を有し、
前記データ処理部は、
前記表示部に表示するコンテンツ対応の表示制御アプリケーションを実行して、出力画像信号を生成する処理を実行し、
前記出力画像信号の生成処理において、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御方法にある。【００１２】
さらに、本開示の第４の側面は、
画像表示制御装置において出力画像信号生成処理を実行させるプログラムであり、
前記プログラムは、表示部に表示するコンテンツ対応の表示制御アプリケーションであり、
表示部の周囲の環境光情報であるセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成するプログラムにある。【００１３】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１４】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１５】
本開示の一実施例の構成によれば、コンテンツ単位、またはシーン、あるいはフレーム単位で環境光に応じて信号変換処理を実行して出力画像を生成する装置、および方法が実現される。
具体的には、表示部に出力する画像信号の制御を実行するデータ処理部を有し、データ処理部は、表示部に表示するコンテンツ対応の表示制御アプリケーションを実行して、出力画像信号を生成する。データ処理部は、表示部の周囲の環境光情報を取得するセンサからセンサ検出信号を入力し、センサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する。
本構成により、コンテンツ単位、またはシーン、あるいはフレーム単位で環境光に応じて信号変換処理を実行して出力画像を生成する装置、および方法が実現される。
なお、本明細書に記載された効果はあくまで例示であって限定されるものではなく、また付加的な効果があってもよい。
【図面の簡単な説明】
【００１６】
【図１】本開示の処理を実行する通信システムの一構成例について説明する図である。
【図２】画像表示制御装置の実行する処理の一例について説明する図である。
【図３】画像表示制御装置の実行する処理のシーケンスについて説明するフローチャートを示す図である。
【図４】コンテンツ対応メタデータに基づく画像制御アプリーションの選択処理例について説明する図である。
【図５】画像制御アプリーションの構成例について説明する図である。
【図６】画像制御アプリーションを用いた画像制御処理のシーケンスについて説明するフローチャートを示す図である。
【図７】画像制御アプリーションに規定されたシーン対応の信号変換アルゴリズムと、アルゴリズムに適用するパラメータの例について説明する図である。
【図８】画像制御アプリーションの構成例について説明する図である。
【図９】信号変換アルゴリズムの例について説明する図である。
【図１０】信号変換アルゴリズムの例について説明する図である。
【図１１】信号変換アルゴリズムの例について説明する図である。
【図１２】信号変換アルゴリズムの例について説明する図である。
【図１３】信号変換アルゴリズムの例について説明する図である。
【図１４】信号変換アルゴリズムの例について説明する図である。
【図１５】画像制御アプリーションの構成例について説明する図である。
【図１６】画像制御アプリーションの構成例について説明する図である。
【図１７】画像制御アプリーションの構成例について説明する図である。
【図１８】サーバおよび画像表示制御装置の構成例について説明する図である。
【図１９】画像表示制御装置のハードウェア構成例について説明する図である。
【発明を実施するための形態】
【００１７】
以下、図面を参照しながら本開示の画像表示制御装置、送信装置、および画像表示制御方法、並びにプログラムの詳細について説明する。なお、説明は以下の項目に従って行なう。
１．本開示の画像表示制御装置の実行する処理の概要について
２．本開示の画像表示制御装置の実行する処理のシーケンスについて
３．本開示の画像表示制御装置の適用する画像制御アプリケーションの例について
４．その他の画像制御アプリケーションの例について
５．装置の構成例について
６．本開示の構成のまとめ
【００１８】
［１．本開示の画像表示制御装置の実行する処理の概要について］
まず、図１以下を参照して本開示の画像表示制御装置の実行する処理の概要について説明する。
【００１９】
図１は、画像表示制御装置の一例であるテレビ３０と、テレビ３０にコンテンツ（番組）を送信する送信装置である放送局１１、コンテンツサーバ１２、さらに、テレビ３０において実行可能なアプリケーションプログラム（以下、アプリケーションと呼ぶ）を提供する送信装置であるアプリケーションサーバ２０を示している。
【００２０】
放送局１１や、コンテンツサーバ１２は、テレビ３０に出力する放送番組等のコンテンツを提供する。
放送局１１は、放送波を介したコンテンツのブロードキャスト送信を行う。コンテンツサーバ１２は、インターネット等のネットワークを介して、コンテンツのユニキャスト配信、あるいはマルチキャスト配信等を行う。
【００２１】
なお、これらのコンテンツ配信に適用する通信プロトコルとしては、例えばＦＬＵＴＥ（Ｆｉｌｅ  Ｄｅｌｉｖｅｒｙ  ｏｖｅｒ  Ｕｎｉ−ｄｉｒｅｃｔｉｏｎａｌ  Ｔｒａｎｓｐｏｒｔ）が適用可能である。
ＦＬＵＴＥは、主に非同期型のファイル転送に利用するために開発されたが、ブロードキャストストリーミングにも適用するための拡張が行われ、放送波を介したブロードキャスト型のデータ配信にも適用可能な構成を持つプロトコルである。
【００２２】
ＦＬＵＴＥプロトコルを利用したデータ配信により、放送局１１や、コンテンツサーバ１２は、放送番組等のコンテンツの送信のみならず、様々なメタデータや、アプリケーションファイルをテレビ３０に対して送信することができる。
なお、アプリケーションサーバ２０も、インターネットを介してテレビ３０において実行するアプリケーションを提供する。
【００２３】
図１に示すように、テレビ３０は、テレビ３０において実行するアプリケーションを、放送局１１、コンテンツサーバ１２、アプリケーションサーバ２０のいずれからでも取得することができる。
なお、テレビ３０が放送局１１、またはコンテンツサーバ１２、またはアプリケーションサーバ２０から取得し、テレビ３０において実行するアプリケーションの１つに、コンテンツ（番組）対応の画像制御処理を行なうための画像制御アプリケーション（プログラム）が含まれる。
【００２４】
テレビ３０は、例えばＯＳ（Ｏｐｅｒａｔｉｏｎ  Ｓｙｓｔｅｍ）としてＡｎｄｒｏｉｄ（登録商標）を搭載しており、Ａｎｄｒｏｉｄ（登録商標）ＯＳ上で動作する様々なアプリケーションを実行することができる。
放送局１１、またはコンテンツサーバ１２、またはアプリケーションサーバ２０から受信する画像制御アプリケーションは、Ａｎｄｒｏｉｄ（登録商標）ＯＳ上で動作するアプリケーションである。
【００２５】
テレビ３０は、環境光センサ３１を有している。環境光センサ３１は、テレビ３０の視聴環境における明るさや、環境光の色情報（色相）を取得する光学センサである。
以下に説明する実施例では、環境光センサ３１が取得する検出値は、以下の各値を含むものとする。
輝度情報（Ｙ）
色差情報（Ｕ，Ｖ）
これらの値が、環境光センサ３１によって取得される。
【００２６】
輝度（Ｙ）は、いわゆる明るさであり、テレビ３０の視聴環境の明るさを示す値である。環境光センサ３１の検出する輝度（Ｙ）の値が大きいほど、視聴環境が明るく、検出輝度（Ｙ）の値が小さいほど、視聴環境が暗いことを示す。
【００２７】
色差（Ｕ）は、青色（Ｂｌｕｅ）系の色強度を示す指標値の１つである。環境光センサ３１の検出する色差（Ｕ）の値が大きいほど、視聴環境における環境光色の青色強度が強く、検出色差（Ｕ）の値が小さいほど、環境光色の青色強度が弱いことを示す。
【００２８】
色差（Ｖ）は、赤色（Ｒｅｄ）系の色強度を示す指標値の１つである。環境光センサ３１の検出する色差（Ｖ）の値が大きいほど、視聴環境における環境光色の赤色強度が強く、検出色差（Ｖ）の値が小さいほど、環境光色の赤色強度が弱いことを示す。
【００２９】
なお、以下に説明する実施例では、ＹＵＶ信号を用いた処理例、すなわち、環境光センサ３１がＹＵＶの各値を検出値として取得し、テレビ３０において実行する画像制御アプリケーションによって、テレビ３０に対する出力信号のＹＵＶの各値を制御する実施例について説明する。
【００３０】
ただし、この実施例は一例であり、本開示の処理は、ＹＵＶ信号に限らず、例えばＹＣｂＣｒ信号や、ＲＧＢ信号等、様々な信号系を用いて処理を行なうことが可能である。
すなわち、環境光センサ３１が環境光に対応するＹＣｂＣｒの各値、またはＲＧＢの各値を検出値として取得し、テレビ３０において実行する画像制御アプリケーションによって、テレビ３０に対する出力信号のＹＣｂＣｒ各値、またはＲＧＢの各値を制御する構成も実現可能である。
【００３１】
また、環境光センサ３１の検出値の信号系と、出力信号の信号系が異なる場合、例えば、環境光センサ３１の検出値がＹＵＶであり、テレビ３０に対する出力信号がＲＧＢ等、それぞれの処理する信号系が異なる場合は、既知の信号変換式を適用して信号変換処理を実行して制御を行うことが可能である。
【００３２】
次に、本開示の画像表示制御装置、例えば図１に示すテレビ３０が実行する画像表示制御の具体例について図２を参照して説明する。
図２は、環境光センサ３１の検出値を取得したテレビ３０が、画像制御アプリケーションを実行して生成した出力画像信号を表示部に表示した画像表示例を示す図である。
図２には２つの異なる環境光の下での画像表示例を示している。
（ａ）は環境光が暗く、環境光の色が青色系である場合の出力画像例である。上述したＹＵＶ値で説明すると、
輝度（Ｙ）＝低
色差（Ｕ）＝高
色差（Ｖ）＝低、
環境光がこれらのＹＵＶ設定である場合の画像表示例である。
【００３３】
一方、（ｂ）は環境光が明るく、環境光の色が赤色系である場合の出力画像例である。上記のＹＵＶ値で説明すると、
輝度（Ｙ）＝高
色差（Ｕ）＝低
色差（Ｖ）＝高、
環境光がこれらのＹＵＶ設定である場合の画像表示例である。
【００３４】
図２（ａ），（ｂ）は、これらの異なるセンサ検出値が環境光センサ３１から得られた場合の画像表示例である。
テレビ３０に表示された画像は水中の画像を示すシーンであり、環境光とシーンに応じてテレビ３０に対する出力信号が調整される。
図２（ａ），（ｂ）の２つの異なる環境において、それぞれのテレビに表示される画像は、その明るさや色相が異なる設定に調整される。
【００３５】
この出力信号の調整処理は、テレビ３０において実行される画像制御アプリケーションに従って行われる。
画像制御アプリケーションは、例えばコンテンツ（番組）に対応して設定される。すなわち、各コンテンツ（番組）固有の画像制御アプリケーションに従った出力制御が実行される。
【００３６】
コンテンツ固有の画像制御アプリケーションを適用することで、各コンテンツ（番組）の制作者（オーサー）の意図を反映した出力信号制御が可能となる。
コンテンツ固有の画像制御アプリケーションには、コンテンツに含まれるシーン単位、あるいはフレーム単位で、環境光に応じて輝度や色相制御を実行するプログラムが含まれる。
【００３７】
例えば図２に示すように水中の画像シーンに対しては、例えば水中の青い色を強調するような出力信号の調整を、環境光に応じて実行する。
具体的には、環境光センサ３１の検出した環境光の検出値（ＹＵＶ）に応じて、出力画像信号の青色が強調されるようにオリジナルの画像信号を変換して出力信号を生成する。
【００３８】
なお、以下の説明においては、
放送局１１や、コンテンツサーバ１２から送信されるコンテンツ（番組）に予め設定されたオリジナルの画像信号を、
入力画像信号＝（ＹＵＶ）ｉｎと記載する。
また、環境光センサ３１の検出した環境光の検出値を、
センサ検出信号＝（ＹＵＶ）ｓｎｓと記載する。
さらに、コンテンツ対応の画像制御アプリケーションを適用して生成された調整後の画像信号、すなわちテレビ３０に出力する画像の画像信号を、
出力画像信号＝（ＹＵＶ）ｏｕｔと記載する。
【００３９】
なお、ＹＵＶ個別の信号については、
入力画像信号＝Ｙｉｎ，Ｕｉｎ，Ｖｉｎ、
センサ検出信号＝Ｙｓｎｓ，Ｕｓｎｓ，Ｖｓｎｓ、
出力画像信号＝Ｙｏｕｔ，Ｕｏｕｔ，Ｖｏｕｔ、
以上の記載とする。
【００４０】
［２．本開示の画像表示制御装置の実行する処理のシーケンスについて］
次に、本開示の画像表示制御装置の実行する処理のシーケンスについて説明する。
本開示の画像表示制御装置、例えば図１に示すテレビ３０は、図１に示す放送局１１、またはコンテンツサーバ１２から放送番組等のコンテンツを受信する。
さらに、図１に示す放送局１１、またはコンテンツサーバ１２、またはアプリケーションサーバ２０のいずれかから、コンテンツ対応の画像制御アプリケーションを受信し、受信した画像制御アプリケーションを適用してコンテンツの表示制御、具体的には輝度制御や色相制御を実行する。
【００４１】
コンテンツ対応の画像制御アプリケーションを実行することで、図２を参照して説明したように、環境光およびコンテンツ内のシーン等に応じた出力信号の制御を実行する。
【００４２】
図３に示すフローチャートは、本開示の画像表示制御装置、例えば図１に示すテレビ３０の実行する処理シーケンスを説明するフローチャートである。
画像表示制御装置は、プログラム実行機能を有するプロセッサ（ＣＰＵ等）を有するデータ処理部において、記憶部に格納した画像制御アプリケーションやその他のプログラムに従って図３に示すフローに従った処理を実行する。
以下、図３に示すフローの各ステップの処理について順次、説明する。
【００４３】
なお、画像表示制御装置（例えばテレビ３０）は、図３に示すフローの開始前に、予めコンテンツ（番組）対応の画像制御アプリケーションを受信し、記憶部に格納しているものとする。
【００４４】
（ステップＳ１０１）
画像表示制御装置のデータ処理部は、まず、ステップＳ１０１において、図１に示す放送局１１、あるいはコンテンツサーバ１２から受信する放送番組等のコンテンツの付属データであるコンテンツ対応メタデータを取得する。
さらに、取得したメタデータに記録されたアプリ指定情報に基づいて、コンテンツ対応の画像制御アプリケーションを選択して起動する。
【００４５】
前述したように、画像制御アプリケーションは、各番組等、各コンテンツ単位に設定される。
画像表示制御装置（例えばテレビ３０）は、各コンテンツに対応する画像制御アプリケーションを、予め放送局１１、あるいはコンテンツサーバ１２、またはアプリケーションサーバ２０から取得し、記憶部に格納する。
【００４６】
すなわち、画像表示制御装置（例えばテレビ３０）の記憶部には、複数のコンテンツに対応する複数の画像制御アプリケーションが格納されている。
従って、放送局１１、あるいはコンテンツサーバ１２から受信するコンテンツに対応した画像制御アプリケーションを選択する処理が必要となる。
この選択処理のために、放送局１１、あるいはコンテンツサーバ１２から受信するコンテンツに併せて、あるいは先行して送信されるメタデータの記録情報を利用する。
【００４７】
コンテンツ対応のメタデータの例を図４に示す。
図４に示すようにコンテンツ対応のメタデータには、コンテンツに対応する画像制御アプリケーションの識別子（ＩＤ）が記録されている。
画像表示制御装置（例えばテレビ３０）のデータ処理部は、メタデータに記録された画像制御アプリケーションの識別子（ＩＤ）に基づいて、記憶部に格納済みの複数の画像制御アプリケーションから、表示予定のコンテンツに対応する画像制御アプリケーションを選択する。
【００４８】
記憶部に格納された画像制御アプリケーションの各々にはＩＤが設定されており、コンテンツ対応のメタデータに設定された画像制御アプリケーションの識別子（ＩＤ）と同一のＩＤを持つアプリケーションを選択して起動する。
【００４９】
（ステップＳ１０２）
次に、画像表示制御装置のデータ処理部は、ステップＳ１０２において環境光センサ３１のセンサ検出信号（環境光情報）を入力する。
前述したように、環境光センサ３１が取得する検出信号（環境光情報）は、例えば以下の各値によって構成される。
輝度情報（Ｙ）
色差情報（Ｕ，Ｖ）
これらの値が、環境光センサ３１によって取得されデータ処理部に入力される。
【００５０】
（ステップＳ１０３）
次に、画像表示制御装置のデータ処理部は、ステップＳ１０３において、ステップＳ１０１で選択したコンテンツ対応の画像制御アプリケーションを適用して、センサ検出信号（環境光情報）に応じて出力画像信号を算出する。
【００５１】
例えばコンテンツ（番組）単位、あるいはシーン単位、フレーム単位等、画像制御アプリケーションに規定された単位で設定された調整処理態様（信号変換アルゴリズム）に応じて調整された出力信号（Ｙｏｕｔ，Ｕｏｕｔ，Ｖｏｕｔ）を算出する。
【００５２】
放送局１１、あるいはコンテンツサーバ１２から受信するコンテンツには、オリジナルの画像信号、すなわち、
入力画像信号＝（ＹＵＶ）ｉｎ
が記録されている。
画像表示制御装置のデータ処理部は、この入力画像信号＝（ＹＵＶ）ｉｎを、、画像制御アプリケーションに規定された信号変換アルゴリズムに従って変換して、
出力画像信号＝（ＹＵＶ）ｏｕｔ
を生成する。
【００５３】
この変換処理に際して、環境光センサ３１の検出した検出値、すなわち、
センサ検出信号＝（ＹＵＶ）ｓｎｓ
このセンサ検出信号を考慮し、センサ検出値を利用した処理を実行する。
なお、画像制御アプリケーションの具体例と具体的な処理例については後述する。
【００５４】
（ステップＳ１０４）
次に、画像表示制御装置のデータ処理部は、ステップＳ１０４において、ステップＳ１０３で生成した出力画像信号を表示部に出力する。
【００５５】
これらの処理により、例えば先に図２を参照して説明したように、コンテンツ単位、またはシーン単位、あるいはフレーム単位で環境光に応じた出力信号調整処理が施され、調整後の画像信号が表示されることになる。
【００５６】
［３．本開示の画像表示制御装置の適用する画像制御アプリケーションの例について］
次に、画像表示制御装置が実行する画像制御アプリケーションの具体例について説明する。
【００５７】
前述したように、画像制御アプリケーションは、個々の番組等、各コンテンツ単位に設定されるアプリケーションプログラムである。
画像表示制御装置（例えばテレビ３０）は、各コンテンツに対応する画像制御アプリケーションを予め放送局１１、あるいはコンテンツサーバ１２、またはアプリケーションサーバ２０から取得し、記憶部に格納している。
【００５８】
図５を参照して、画像表示制御装置が実行する画像制御アプリケーションの１つの構成例について説明する。
図５には、
シーン識別子、
再生時間、
適用する信号変換アルゴリズムＩＤ（識別子）
これらの３つのデータの対応関係を示している。
【００５９】
コンテンツ対応の画像制御アプリケーションは、例えばこの図５に示すように、コンテンツに含まれる各シーンについて、そのシーンの再生時間情報と、そのシーンに適用する信号変換アルゴリズムを記録している。なお、図には、アルゴリズムの代わりにアルゴリズムＩＤを示している。
【００６０】
コンテンツ対応の画像制御アプリケーションは、例えば、
（シーン１）＝水中のシーン、
（シーン２）＝夕日が沈むシーン、
このようなシーンの区分に応じて、これらのシーンの再生時間と適用する信号変換アルゴリズムを記録している。
【００６１】
再生時間は、シーンの始まる時間情報（ｂｅｇｉｎ）と終了する時間情報（ｅｎｄ）の規定情報である。
なお、再生時間の代わりに画像フレーム識別子を記録する構成としてもよい。
【００６２】
各シーンに適用する信号変換アルゴリズムは、
入力画像信号（ＹＵＶ）ｉｎから、
出力画像信号（ＹＵＶ）ｏｕｔ、
を算出するために適用する信号変換アルゴリズムである。
なお、この信号変換アルゴリズムは、センサ検出信号（ＹＵＶ）ｓｎｓを考慮して出力画像信号（ＹＵＶ）ｏｕｔを算出するアルゴリズムである。
信号変換アルゴリズムの具体例については後述する。
【００６３】
図６に示すフローチャートは、画像表示制御装置（テレビ３０）において画像制御アプリケーションを適用して出力画像信号（ＹＵＶ）ｏｕｔを算出する処理の１つのシーケンス例を説明するフローチャートである。
先に説明した図３のフローのステップＳ１０２〜Ｓ１０３において実行する処理の詳細シーケンスに相当する。
図６に示すフローの各ステップの処理の詳細について説明する。
なお、図６に示すフローの開始時点では、図３のフローのステップＳ１０１の処理、すなわちコンテンツ対応の画像制御アプリケーションの選択と、起動が実行済みであるとする。
【００６４】
（ステップＳ２０１）
まず、画像表示制御装置（テレビ３０）のデータ処理部は、ステップＳ２０１において、起動したコンテンツ対応の画像制御アプリケーションから、表示予定のシーンに対応して規定された信号変換アルゴリズムを選択する。
図５に示す設定の画像制御アプリケーションを適用する場合について説明する。
（シーン１）を表示する場合、（シーン１）対応のＩＤ＝００１の信号変換アルゴリズムを選択する。
【００６５】
（ステップＳ２０２）
ステップＳ２０２において、画像表示制御装置（テレビ３０）のデータ処理部は、環境光センサ３１から、センサの検出したセンサ検出信号（ＹＵＶ）ｓｎｓを入力する。
【００６６】
（ステップＳ２０３）
次に、画像表示制御装置（テレビ３０）のデータ処理部は、ステップＳ２０３において、選択したシーン対応の信号変換アルゴリズムに適用するパラメータを、ステップＳ２０２で取得したセンサ検出信号（ＹＵＶ）ｓｎｓに基づいて決定する。
なお、このパラメータ決定処理のアルゴリズム（例えば関数Ｆ）は、画像制御アプリケーションに信号変換アルゴリズムとともに記録されている。
具体例については後述する。
【００６７】
（ステップＳ２０４）
次に、画像表示制御装置（テレビ３０）のデータ処理部は、ステップＳ２０４において、ステップＳ２０１で選択したシーン対応の信号変換アルゴリズムに、ステップＳ２０３で決定した変換パラメータを設定して、入力画像信号（ＹＵＶ）ｉｎから、出力画像信号（ＹＵＶ）ｏｕｔを算出する。
【００６８】
シーンに対応する信号変換アルゴリズムの具体例と、信号変換アルゴリズムに適用するパラメータの例について図７を参照して説明する。
【００６９】
図７には、
シーン識別子、
シーン対応の信号変換アルゴリズム、
センサ検出信号（ＹＵＶ）ｓｎｓに基づいて決定するパラメータ
これらの３つのデータの対応例を示している。
【００７０】
（シーン１）に適用する信号変換アルゴリズム、すなわち、受信コンテンツの画像データのオリジナルの入力画像信号（ＹＵＶ）ｉｎを変換して、テレビ３０の表示部に出力する出力画像信号（ＹＵＶ）ｏｕｔを算出する信号変換アルゴリズムは以下のアルゴリズムである。
Ｙｏｕｔ＝ａ×（Ｙｉｎ）＋ｂ
Ｕｏｕｔ＝ｃ×（Ｕｉｎ）＋ｄ
Ｖｏｕｔ＝ｅ×（Ｖｉｎ）＋ｆ
【００７１】
上記アルゴリズム中のａ〜ｆは、センサ検出信号（ＹＵＶ）ｓｎｓに基づいて決定するパラメータである。
図７の表の右端部のエントリには、「センサ検出信号（ＹＵＶ）ｓｎｓに基づいて決定するパラメータ」を示している。
これらのパラメータは、センサ検出信号（ＹＵＶ）ｓｎｓに所定のアルゴリズム、例えば関数を適用して算出される。
【００７２】
具体的には、例えば、以下の関数適用処理によってパラメータａ〜ｆを算出する。
ａ＝Ｆ１１（Ｙｓｎｓ）
ｂ＝Ｆ１２（Ｙｓｎｓ）
ｃ＝Ｆ１３（Ｕｓｎｓ）
ｄ＝Ｆ１４（Ｕｓｎｓ）
ｅ＝Ｆ１５（Ｖｓｎｓ）
ｆ＝Ｆ１６（Ｖｓｎｓ）
なお、これらの関数Ｆ１１〜Ｆ１６は、画像制御アプリケーションに信号変換アルゴリズムとともに記録されている。
【００７３】
画像表示制御装置（テレビ３０）のデータ処理部は、先に説明した図７のフローにおけるステップＳ２０３において、上記の関数Ｆ１１〜Ｆ１６を適用してパラメータａ〜ｆを算出する。
さらに、ステップＳ２０４において、算出したパラメータａ〜ｆを、信号変換アルゴリズムに設定して出力画像信号（ＹＵＶ）ｏｕｔを算出する。
すなわち、
Ｙｏｕｔ＝ａ×（Ｙｉｎ）＋ｂ
Ｕｏｕｔ＝ｃ×（Ｕｉｎ）＋ｄ
Ｖｏｕｔ＝ｅ×（Ｖｉｎ）＋ｆ
上記信号変換アルゴリズムにパラメータａ〜ｆと、入力画像信号（ＹＵＶ）ｉｎを設定して出力画像信号（ＹＵＶ）ｏｕｔを算出する。
【００７４】
なお、信号変換アルゴリズムは、例えば、シーン単位、あるいはフレーム単位、あるいはコンテンツ単位で変更される。
図７には、もう１つの（シーン２）に対応する信号変換アルゴリズムと、パラメータのエントリを示している。
【００７５】
（シーン２）に適用する信号変換アルゴリズム、すなわち、受信コンテンツの画像データのオリジナルの入力画像信号（ＹＵＶ）ｉｎを変換して、テレビ３０の表示部に出力する出力画像信号（ＹＵＶ）ｏｕｔを算出する信号変換アルゴリズムは以下のアルゴリズムである。
Ｙｏｕｔ＝ａ×（Ｙｉｎ）＋ｂ
Ｕｏｕｔ＝ｃ×（Ｕｉｎ）＋ｄ（Ｖｉｎ）
Ｖｏｕｔ＝ｅ×（Ｖｉｎ）＋ｆ（Ｕｉｎ）
【００７６】
上記アルゴリズム中のａ〜ｆは、センサ検出信号（ＹＵＶ）ｓｎｓに基づいて決定するパラメータである。
図７の表の右端部のエントリに示すように、これらのパラメータは、以下の関数適用処理によって算出する。
ａ＝Ｆ２１（Ｙｓｎｓ）
ｂ＝Ｆ２２（Ｙｓｎｓ）
ｃ＝Ｆ２３（Ｕｓｎｓ）
ｄ＝Ｆ２４（Ｖｓｎｓ）
ｅ＝Ｆ２５（Ｖｓｎｓ）
ｆ＝Ｆ２６（Ｕｓｎｓ）
なお、これらの関数Ｆ２１〜Ｆ２６は、画像制御アプリケーションに信号変換アルゴリズムとともに記録されている。
【００７７】
画像表示制御装置（テレビ３０）のデータ処理部は、（シーン２）の画像表示を行う場合、先に説明した図７のフローにおけるステップＳ２０３において、上記の関数Ｆ２１〜Ｆ２６を適用してパラメータａ〜ｆを算出する。
さらに、ステップＳ２０４において、算出したパラメータａ〜ｆを、信号変換アルゴリズムに設定して出力画像信号（ＹＵＶ）ｏｕｔを算出する。
すなわち、
Ｙｏｕｔ＝ａ×（Ｙｉｎ）＋ｂ
Ｕｏｕｔ＝ｃ×（Ｕｉｎ）＋ｄ（Ｖｉｎ）
Ｖｏｕｔ＝ｅ×（Ｖｉｎ）＋ｆ（Ｕｉｎ）
上記信号変換アルゴリズムにパラメータａ〜ｆと、入力画像信号（ＹＵＶ）ｉｎを設定して出力画像信号（ＹＵＶ）ｏｕｔを算出する。
【００７８】
このように、コンテンツ対応の画像制御アプリケーションには、コンテンツに含まれるシーン毎に適用する信号変換アルゴリズムと、センサ検出値に応じて決定するパラメータが記録されている。
画像表示制御装置は、シーン毎に適用する信号変換アルゴリズムとパラメータを逐次、変更して出力画像信号（ＹＵＶ）ｏｕｔを算出する。
このような処理によって、シーン、および環境光に応じて調整された画像信号が出力される。
なお、図を参照して説明した例では、信号変換アルゴリズムとパラメータを変更する単位をシーン単位として設定して説明したが、これらの変換単位は、フレーム単位、コンテンツ（番組）単位等、様々な単位とすることが可能である。
【００７９】
［４．その他の画像制御アプリケーションの例について］
図５〜図７を参照して、１つの画像制御アプリケーションの構成とその適用例について説明した。
しかし、画像制御アプリケーションは、図５〜図７を参照して説明した構成に限らず、様々な構成が可能である。
以下、複数の画像制御アプリケーションの例について説明する。
【００８０】
図８には、画像制御アプリケーション構成例（２）を示している。
図８には、
シーン識別子、
再生時間、
適用する信号変換アルゴリズムＩＤ（識別子）
これらの３つのデータの対応関係を示している。
【００８１】
図８に示す例は、先に説明した図５に示す例と異なり、
［適用する信号変換アルゴリズムＩＤ（識別子）］を、
Ｙ，Ｕ，Ｖの各信号対応のアルゴリズムを設定可能な構成としている。
ＹＵＶ、それぞれの信号に応じて異なる信号変換アルゴリズムを選択適用する設定である。
【００８２】
図９以下を参照して、ＹＵＶ各信号に適用する信号変換アルゴリズムの例について説明する。
図９、および図１０には、Ｙ信号に適用する信号変換アルゴリズムの４つの例を示している。
【００８３】
図９（ａ）アルゴリズム１（アルゴリズムＩＤ＝００１）に示すグラフは、横軸が、コンテンツのオリジナルの画像信号、すなわち入力画像信号（ＹＵＶ）ｉｎ中の輝度信号Ｙｉｎを示し、縦軸に信号変換処理によって生成する出力画像信号Ｙｏｕｔを示している。
【００８４】
グラフ中の実線は、
入力輝度信号Ｙｉｎ＝出力輝度信号Ｙｏｕｔ
すなわち、信号変換アルゴリズムの適用によって生成される出力輝度信号Ｙｏｕｔが入力輝度信号Ｙｉｎに一致する設定であり、受信コンテンツに予め設定された画素値（入力値）が変更されずにそのまま出力される場合の例である。
環境光センサ３１によって検出される輝度Ｙｓｎｓが、コンテンツ製作者の想定する標準的な輝度値である場合の設定に相当する。
【００８５】
環境光センサ３１によって検出される輝度Ｙｓｎｓがコンテンツ製作者の想定する標準的な輝度値よりも高い場合、すなわち、環境光が明るい場合は、信号変換アルゴリズム１を適用した信号変換処理によって、入出力値の対応関係は、図９（ａ）に示す実線から、上方向の点線側に移動する。
すなわち、入力画像信号の輝度信号Ｙｉｎは、入力値よりも高い輝度値を持つ出力輝度信号Ｙｏｕｔに変換される。
輝度値の変化量は、入力輝度値が低い値であるほど、大きく設定される。
【００８６】
なお、図に示す点線は、環境光センサ３１によって検出される輝度Ｙｓｎｓが標準輝度値より高いある１つの輝度値が計測された場合の入力輝度値と出力輝度値の対応関係を示す線である。
環境光センサ３１によって検出される輝度Ｙｓｎｓが、さらに高い場合は、入力輝度値と出力輝度値の対応関係を示す点線は、さらに上側に移動し、低い場合は下側に移動する。
【００８７】
一方、環境光センサ３１によって検出される輝度Ｙｓｎｓがコンテンツ製作者の想定する標準的な輝度値よりも低い場合、すなわち、環境光が暗い場合は、信号変換アルゴリズム１を適用した信号変換処理によって、入出力値の対応関係は、図９（ａ）に示す実線から、下方向の一点鎖線側に移動する。
すなわち、入力画像信号の輝度信号Ｙｉｎは、入力値よりも低い輝度値を持つ出力輝度信号Ｙｏｕｔに変換される。
輝度値の変化量は、入力輝度値が高い値であるほど、大きく設定される。
【００８８】
なお、図に示す一転鎖線は、環境光センサ３１によって検出される輝度Ｙｓｎｓが標準輝度値より低いある１つの輝度値が計測された場合の入力輝度値と出力輝度値の対応関係を示す線である。
環境光センサ３１によって検出される輝度Ｙｓｎｓが、さらに低い場合は、入力輝度値と出力輝度値の対応関係を示す一転鎖線は、さらに下側に移動し、高い場合は上側に移動する。
【００８９】
図９（ｂ）アルゴリズム２（アルゴリズムＩＤ＝００２）に示すグラフも、横軸が、コンテンツのオリジナルの画像信号、すなわち入力画像信号（ＹＵＶ）ｉｎ中の輝度信号Ｙｉｎを示し、縦軸に信号変換処理によって生成する出力画像信号Ｙｏｕｔを示している。
【００９０】
グラフ中の実線は、
入力輝度信号Ｙｉｎ＝出力輝度信号Ｙｏｕｔ
すなわち、信号変換アルゴリズムの適用によって生成される出力輝度信号Ｙｏｕｔが入力輝度信号Ｙｉｎに一致する設定であり、受信コンテンツに予め設定された画素値（入力値）が変更されずにそのまま出力される場合の例である。
環境光センサ３１によって検出される輝度Ｙｓｎｓが、コンテンツ製作者の想定する標準的な輝度値である場合の設定に相当する。
【００９１】
環境光センサ３１によって検出される輝度Ｙｓｎｓがコンテンツ製作者の想定する標準的な輝度値よりも高い場合、すなわち、環境光が明るい場合は、信号変換アルゴリズム２を適用した信号変換処理によって、入出力値の対応関係は、図９（ｂ）に示す実線から、上方向の湾曲形状の点線側に移動する。
すなわち、入力画像信号の輝度信号Ｙｉｎは、入力値よりも高い輝度値を持つ出力輝度信号Ｙｏｕｔに変換される。
輝度値の変化量は、入力輝度値が低い値であるほど、大きく設定される。
【００９２】
なお、図に示す湾曲形状の点線は、環境光センサ３１によって検出される輝度Ｙｓｎｓが標準輝度値より高いある１つの輝度値が計測された場合の入力輝度値と出力輝度値の対応関係を示す線である。
環境光センサ３１によって検出される輝度Ｙｓｎｓが、さらに高い場合は、入力輝度値と出力輝度値の対応関係を示す点線は、さらに上側に移動し、低い場合は下側に移動する。
【００９３】
一方、環境光センサ３１によって検出される輝度Ｙｓｎｓがコンテンツ製作者の想定する標準的な輝度値よりも低い場合、すなわち、環境光が暗い場合は、信号変換アルゴリズム２を適用した信号変換処理によって、入出力値の対応関係は、図９（ｂ）に示す実線から、下方向の湾曲形状の一点鎖線側に移動する。
すなわち、入力画像信号の輝度信号Ｙｉｎは、入力値よりも低い輝度値を持つ出力輝度信号Ｙｏｕｔに変換される。
輝度値の変化量は、入力輝度値が高い値であるほど、大きく設定される。
【００９４】
なお、図に示す湾曲形状の一転鎖線は、環境光センサ３１によって検出される輝度Ｙｓｎｓが標準輝度値より低いある１つの輝度値が計測された場合の入力輝度値と出力輝度値の対応関係を示す線である。
環境光センサ３１によって検出される輝度Ｙｓｎｓが、さらに低い場合は、入力輝度値と出力輝度値の対応関係を示す一転鎖線は、さらに下側に移動し、高い場合は上側に移動する。
【００９５】
図１０には、
（ｃ）アルゴリズム３（アルゴリズムＩＤ＝００３）
（ｄ）アルゴリズム４（アルゴリズムＩＤ＝００４）
による輝度信号変換例を示している。
【００９６】
それぞれのグラフにおいて実線、湾曲形状の点線、湾曲形状の一点鎖線は、それぞれ以下の設定における入力輝度値Ｙｉｎと、出力輝度値Ｙｏｕｔの対応関係を示している。
実線＝環境光センサ３１によって検出される輝度Ｙｓｎｓが、コンテンツ製作者の想定する標準的な輝度値である場合の設定、
湾曲形状の点線＝環境光センサ３１によって検出される輝度Ｙｓｎｓが、コンテンツ製作者の想定する標準的な輝度値より高い（明るい）場合の設定、
湾曲形状の一点鎖線＝環境光センサ３１によって検出される輝度Ｙｓｎｓが、コンテンツ製作者の想定する標準的な輝度値より低い（暗い）場合の設定、
【００９７】
画像表示制御装置（テレビ３０）は、例えば、コンテンツを構成するシーンに応じて、図９、図１０に示す４つの信号変換アルゴリズのいずれかを適用して信号変換処理を実行し、出力画像信号の輝度値（Ｙｏｕｔ）を算出する。
なお、図９、図１０には４つの輝度信号変換アルゴリズムの設定例を示したが、これらは信号変換アルゴリズムの一部の例であり、この他にも様々な変換処理が適用可能である。
【００９８】
図９、図１０は、輝度信号（Ｙ）についての変換アルゴリズムの例であるが、
色差信号（Ｕ，Ｖ）についても、各信号対応の変換アルゴリズムが画像制御プログラムに規定され適用される。
【００９９】
図１１、図１２には、色差信号Ｕに対して適用する信号変換アルゴリズムの例を示している。
図１１、図１２には、
（ａ）アルゴリズム１（アルゴリズムＩＤ＝００１）
（ｂ）アルゴリズム２（アルゴリズムＩＤ＝００２）
（ｃ）アルゴリズム３（アルゴリズムＩＤ＝００３）
（ｄ）アルゴリズム４（アルゴリズムＩＤ＝００４）
による色差信号Ｕの変換例を示している。
【０１００】
それぞれのグラフにおいて実線、湾曲形状の点線、湾曲形状の一点鎖線は、それぞれ以下の設定における入力色差信号値Ｕｉｎと、出力色差信号値Ｕｏｕｔの対応関係を示している。
実線＝環境光センサ３１によって検出される色差信号値Ｕｓｎｓが、コンテンツ製作者の想定する標準的な色差信号値である場合の設定、
湾曲形状の点線＝環境光センサ３１によって検出される色差信号値Ｕｓｎｓが、コンテンツ製作者の想定する標準的な色差信号値より高い場合の設定、
湾曲形状の一点鎖線＝環境光センサ３１によって検出される色差信号値Ｕｓｎｓが、コンテンツ製作者の想定する標準的な色差信号値より低い場合の設定、
【０１０１】
画像表示制御装置（テレビ３０）は、例えば、コンテンツを構成するシーンに応じて、図１１、図１２に示す４つの信号変換アルゴリズのいずれかを適用して信号変換処理を実行し、出力画像信号の色差信号値（Ｕｏｕｔ）を算出する。
なお、図１１、図１２には４つの輝度信号変換アルゴリズムの設定例を示したが、これらは信号変換アルゴリズムの一部の例であり、この他にも様々な変換処理が適用可能である。
【０１０２】
図１３、図１４には、色差信号Ｖに対して適用する信号変換アルゴリズムの例を示している。
図１３、図１４には、
（ａ）アルゴリズム１（アルゴリズムＩＤ＝００１）
（ｂ）アルゴリズム２（アルゴリズムＩＤ＝００２）
（ｃ）アルゴリズム３（アルゴリズムＩＤ＝００３）
（ｄ）アルゴリズム４（アルゴリズムＩＤ＝００４）
による色差信号Ｕの変換例を示している。
【０１０３】
それぞれのグラフにおいて実線、湾曲形状の点線、湾曲形状の一点鎖線は、それぞれ以下の設定における入力色差信号値Ｖｉｎと、出力色差信号値Ｖｏｕｔの対応関係を示している。
実線＝環境光センサ３１によって検出される色差信号値Ｖｓｎｓが、コンテンツ製作者の想定する標準的な色差信号値である場合の設定、
湾曲形状の点線＝環境光センサ３１によって検出される色差信号値Ｖｓｎｓが、コンテンツ製作者の想定する標準的な色差信号値より高い場合の設定、
湾曲形状の一点鎖線＝環境光センサ３１によって検出される色差信号値Ｖｓｎｓが、コンテンツ製作者の想定する標準的な色差信号値より低い場合の設定、
【０１０４】
画像表示制御装置（テレビ３０）は、例えば、コンテンツを構成するシーンに応じて、図１３、図１４に示す４つの信号変換アルゴリズのいずれかを適用して信号変換処理を実行し、出力画像信号の色差信号値（Ｖｏｕｔ）を算出する。
なお、図１３、図１４には４つの輝度信号変換アルゴリズムの設定例を示したが、これらは信号変換アルゴリズムの一部の例であり、この他にも様々な変換処理が適用可能である。
【０１０５】
さらに、その他の画像制御アプリケーションの構成例について、図１５、図１６、図１７を参照して説明する。
上述した実施例では、出力画像信号のＹＵＶの各値を、直接制御する構成としていたが、このような出力信号の制御に限らず、例えば、以下のような出力信号調整処理を行なう構成としてもよい。
（ａ）シーンおよび環境光に応じて異なるホワイトバランス調整処理を実行する。
（ｂ）シーンおよび環境光に応じて異なるガンマ補正処理を実行する。
（ｃ）シーンおよび環境光に応じて異なる色温度調整処理を実行する。
【０１０６】
図１５に示す画像制御アプリケーションは、
「（ａ）シーンおよび環境光に応じて異なるホワイトバランス調整処理を実行する」アプリケーションの構成例を示している。
【０１０７】
図１５には、
シーン識別子、
再生時間、
適用する信号変換アルゴリズムＩＤ（識別子）
これらの３つのデータの対応関係を示している。
これにらの対応関係は先に図５を参照して説明した画像制御アプリケーション（１）と同様である。
ただし、図１５に示す画像制御アプリケーション（３）に示すエントリ、
「適用する信号変換アルゴリズムＩＤ（識別子）」
は、ホワイトバランス（ＷＢ）調整処理アルゴリズム指定情報として設定されている。
【０１０８】
すなわち、画像制御アプリケーションは、シーンの区分に応じて、これらのシーンの再生時間と適用する信号変換アルゴリズムとしてホワイトバランス（ＷＢ）調整処理アルゴリズム、またはその指定情報を記録した構成を有する。
再生時間は、シーンの始まる時間情報（ｂｅｇｉｎ）と終了する時間情報（ｅｎｄ）を規定している。
なお、再生時間の代わりに画像フレーム識別子を記録する構成としてもよい。
【０１０９】
本例において、各シーンに適用する信号変換アルゴリズムは、ホワイトバランス調整処理アルゴリズムである。
このホワイトバランス調整処理アルゴリズムがシーンに応じて異なる設定になる。
また、ホワイトバランス調整処理アルゴリズムに適用するパラメータは、環境光センサ３１の取得したセンサ検出値に応じて決定する。
【０１１０】
シーン対応のホワイトバランス調整処理アルゴリズムと、各ホワイトバランス調整処理アルゴリズムに適用するパラメータの決定アルゴリズム（例えば関数Ｆ）が、コンテンツ対応の画像制御アプリケーションに記録されている。
【０１１１】
画像表示制御装置（テレビ３０）は、各シーンの表示処理を実行する際に、シーン対応のホワイトバランス調整処理アルゴリズムを選択し、選択したシーン対応のホワイトバランス調整処理アルゴリズムに適用するパラメータを、センサ検出値に基づいて算出する。
さらに、算出したパラメータをシーン対応のホワイトバランス調整処理アルゴリズムに適用して出力画像のホワイトバランス調整を実行して出力画像を生成して表示する。
【０１１２】
このような処理を行なうことで、シーン、および環境光に応じて異なるホワイトバランス調整が実行され、コンテンツ製作者の意図に添ったホワイトバランス調整のなされた画像を表示することが可能となる。
【０１１３】
次に、図１６を参照して、「（ｂ）シーンおよび環境光に応じて異なるガンマ補正処理を実行する」画像制御アプリケーションについて説明する。
図１６に示す画像制御アプリケーションは、
「（ｂ）シーンおよび環境光に応じて異なるガンマ補正処理を実行する」アプリケーションの構成例を示している。
【０１１４】
図１６には、
シーン識別子、
再生時間、
適用する信号変換アルゴリズムＩＤ（識別子）
これらの３つのデータの対応関係を示している。
これにらの対応関係は先に図５を参照して説明した画像制御アプリケーション（１）と同様である。
ただし、図１６に示す画像制御アプリケーション（３）に示すエントリ、
「適用する信号変換アルゴリズムＩＤ（識別子）」
は、ガンマ補正処理アルゴリズム指定情報として設定されている。
【０１１５】
すなわち、画像制御アプリケーションは、シーンの区分に応じて、これらのシーンの再生時間と適用する信号変換アルゴリズムとしてガンマ補正処理アルゴリズム、またはその指定情報を記録した構成を有する。
再生時間は、シーンの始まる時間情報（ｂｅｇｉｎ）と終了する時間情報（ｅｎｄ）を規定している。
なお、再生時間の代わりに画像フレーム識別子を記録する構成としてもよい。
【０１１６】
本例において、各シーンに適用する信号変換アルゴリズムは、ガンマ補正処理アルゴリズムである。
このガンマ補正処理アルゴリズムがシーンに応じて異なる設定になる。
また、ガンマ補正処理アルゴリズムに適用するパラメータは、環境光センサ３１の取得したセンサ検出値に応じて決定する。
【０１１７】
シーン対応のガンマ補正処理アルゴリズムと、各ガンマ補正処理アルゴリズムに適用するパラメータの決定アルゴリズム（例えば関数Ｆ）が、コンテンツ対応の画像制御アプリケーションに記録されている。
【０１１８】
画像表示制御装置（テレビ３０）は、各シーンの表示処理を実行する際に、シーン対応のガンマ補正処理アルゴリズムを選択し、選択したシーン対応のガンマ補正処理アルゴリズムに適用するパラメータを、センサ検出値に基づいて算出する。
さらに、算出したパラメータをシーン対応のガンマ補正処理アルゴリズムに適用して出力画像のガンマ補正処理を実行して出力画像を生成して表示処理を実行する。
【０１１９】
このような処理を行なうことで、シーン、および環境光に応じて異なるガンマ補正処理が実行され、コンテンツ製作者の意図に添ったガンマ補正処理のなされた画像を表示することが可能となる。
【０１２０】
次に、図１７を参照して、「（ｃ）シーンおよび環境光に応じて異なる色温度調整処理を実行する」画像制御アプリケーションについて説明する。
図１６に示す画像制御アプリケーションは、
「（ｂ）シーンおよび環境光に応じて異なる色温度調整処理を実行する」アプリケーションの構成例を示している。
【０１２１】
図１７には、
シーン識別子、
再生時間、
適用する信号変換アルゴリズムＩＤ（識別子）
これらの３つのデータの対応関係を示している。
これにらの対応関係は先に図５を参照して説明した画像制御アプリケーション（１）と同様である。
ただし、図１７に示す画像制御アプリケーション（３）に示すエントリ、
「適用する信号変換アルゴリズムＩＤ（識別子）」
は、色温度調整処理アルゴリズム指定情報として設定されている。
【０１２２】
すなわち、画像制御アプリケーションは、シーンの区分に応じて、これらのシーンの再生時間と適用する信号変換アルゴリズムとして色温度調整処理アルゴリズム、またはその指定情報を記録した構成を有する。
再生時間は、シーンの始まる時間情報（ｂｅｇｉｎ）と終了する時間情報（ｅｎｄ）を規定している。
なお、再生時間の代わりに画像フレーム識別子を記録する構成としてもよい。
【０１２３】
本例において、各シーンに適用する信号変換アルゴリズムは、色温度調整処理アルゴリズムである。
この色温度調整処理アルゴリズムがシーンに応じて異なる設定になる。
また、色温度調整処理アルゴリズムに適用するパラメータは、環境光センサ３１の取得したセンサ検出値に応じて決定する。
【０１２４】
シーン対応の色温度調整処理アルゴリズムと、各色温度調整処理アルゴリズムに適用するパラメータの決定アルゴリズム（例えば関数Ｆ）が、コンテンツ対応の画像制御アプリケーションに記録されている。
【０１２５】
画像表示制御装置（テレビ３０）は、各シーンの表示処理を実行する際に、シーン対応の色温度調整処理アルゴリズムを選択し、選択したシーン対応の色温度調整処理アルゴリズムに適用するパラメータを、センサ検出値に基づいて算出する。
さらに、算出したパラメータをシーン対応の色温度調整処理アルゴリズムに適用して出力画像の色温度調整処理を実行して出力画像を生成して表示処理を実行する。
【０１２６】
このような処理を行なうことで、シーン、および環境光に応じて異なる色温度調整処理が実行され、コンテンツ製作者の意図に添った色温度調整処理のなされた画像を表示することが可能となる。
【０１２７】
なお、画像制御アプリケーションの例について複数説明したが、上述の様々なアプリケーションを組み合わせた構成を持つアプリケーションを設定して適用する構成も可能である。
【０１２８】
［５．装置の構成例について］
次に、図１に示すコンテンツサーバ１２、あるいはアプリケーションサーバ２０等の送信装置、および図１に示すテレビ３０等の画像表示制御装置の装置構成例について、図１８、図１９を参照して説明する。
【０１２９】
図１８には、コンテンツサーバ１２、あるいはアプリケーションサーバ２０等の送信装置であるサーバ１５０と、画像表示制御装置１７０の構成例を示している。
サーバ１５０は、データ処理部１５１、通信部１５２、記憶部１５３を有する。
画像表示制御装置１７０は、データ処理部１７１、通信部１７２、記憶部１７３、入力部１７４、出力部１７５、センサ１７６を有する。
【０１３０】
サーバ１５０のデータ処理部１５１は、番組等のコンテンツ、あるいはコンテンツ対応の画像制御アプリケーションの生成や送信のための各種のデータ処理を実行する。例えばコンテンツ構成データの生成、コンテンツ対応のメタデータの生成、コンテンツ対応の画像制御アプリケーションファイルの生成、さらに、これら生成データの送信制御を行う。
【０１３１】
通信部１５２は、データ処理部１５１の生成したコンテンツ、メタデータ、画像制御アプリケーションの送信処理などを行う。
記憶部１５３は送信対象とするコンテンツ、メタデータ、画像制御アプリケーションなどを格納する。さらに、記憶部１５３は、データ処理部１５１の実行するデータ処理のワークエリアとして利用され、また各種パラメータの記憶領域としても利用される。
【０１３２】
一方、画像表示制御装置１７０は、データ処理部１７１、通信部１７２、記憶部１７３、入力部１７４、出力部１７５、センサ１７６を有する。
通信部１７２は、放送局やサーバから送信されるデータ、例えば番組等のコンテンツ、メタデータ、画像制御アプリケーション等を受信する。
【０１３３】
データ処理部１７１は、受信コンテンツの出力制御等を実行する。
具体的には、画像制御アプリケーションを実行して、センサ１７６の検出した環境光情報に基づいて出力画像の制御を実行する。
【０１３４】
ユーザの指示コマンド、例えばコンテンツ指定コマンド等は入力部１７４を介して入力される。
コンテンツは表示部やスピーカ等の出力部１７５に出力される。
記憶部１７３には、受信コンテンツやメタデータ、画像制御アプリケーションファイルなどが格納される。
さらに、記憶部１７３は、データ処理部１７１の実行するデータ処理のワークエリアとして利用され、また各種パラメータの記憶領域としても利用される。
センサ１７６は、環境光の輝度や色相情報、例えば環境光のＹＵＶの各値を検出する。
【０１３５】
図１９は、画像表示制御装置１７０として適用可能な通信装置のハードウェア構成例を示している。
画像表示制御装置は、図１に示すようにテレビ３０によって構成可能である。だし、アプリケーションプログラムを実行可能なＣＰＵ等を備えたデータ処理部を有することが必要である。
なお、画像表示制御装置はテレビ等の表示部を備えない構成としてもよい。例えば接続表示装置に対して画像信号を出力可能な装置、具体的には、例えばディスク再生装置や、サーバ装置、ＰＣ等の情報処理装置によって構成することも可能である。
【０１３６】
図１９に示す構成は、上述した実施例を実行するための機能を備えた画像表示制御装置の１つのハードウェア構成例を示している。
図１９に示す構成について説明する。
ＣＰＵ（Ｃｅｎｔｒａｌ  Ｐｒｏｃｅｓｓｉｎｇ  Ｕｎｉｔ）２０１は、ＲＯＭ（Ｒｅａｄ  Ｏｎｌｙ  Ｍｅｍｏｒｙ）２０２、または記憶部２０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）２０３には、ＣＰＵ２０１が実行するプログラムやデータなどが記憶される。これらのＣＰＵ２０１、ＲＯＭ２０２、およびＲＡＭ２０３は、バス２０４により相互に接続されている。
【０１３７】
ＣＰＵ２０１はバス２０４を介して入出力インタフェース２０５に接続され、入出力インタフェース２０５には、各種スイッチ、キーボード、マウス、マイクロホンなどよりなる入力部２０６、ディスプレイ、スピーカなどよりなる出力部２０７が接続されている。ＣＰＵ２０１は、入力部２０６から入力される指令に対応して各種の処理を実行し、処理結果を例えば出力部２０７に出力する。
【０１３８】
入出力インタフェース２０５に接続されている記憶部２０８は、例えばハードディスク等からなり、ＣＰＵ２０１が実行するプログラムや各種のデータを記憶する。通信部２０９は、インターネットやローカルエリアネットワークなどのネットワークを介したデータ通信の送受信部、さらに放送波の送受信部として機能し、外部の装置と通信する。
センサ２１０は、図１に示すテレビ３０に備えられた環境光センサ３１に対応する。環境光の案軽さや色相、例えばＹＵＶの各値を取得する。
【０１３９】
入出力インタフェース２０５に接続されているドライブ２２１は、磁気ディスク、光ディスク、光磁気ディスク、あるいはメモリカード等の半導体メモリなどのリムーバブルメディア２２２を駆動し、データの記録あるいは読み取りを実行する。
【０１４０】
［６．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１４１】
なお、本明細書において開示した技術は、以下のような構成をとることができる。
（１）  表示部に出力する画像信号の制御を実行するデータ処理部を有し、
前記データ処理部は、
前記表示部に表示するコンテンツ対応の表示制御アプリケーションを実行して、出力画像信号を生成する構成であり、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御装置。
【０１４２】
（２）  前記表示制御アプリケーションは、コンテンツ単位、またはコンテンツを構成するシーン、あるいはフレーム単位の信号変換アルゴリズムを記録した構成を有し、
前記データ処理部は、
前記表示制御アプリケーションに規定された画像単位で、異なる信号変換アルゴリズムを適用した信号変換処理を実行する（１）に記載の画像表示制御装置。
【０１４３】
（３）  前記データ処理部は、
前記コンテンツオリジナルの入力画像信号に含まれる輝度信号および色差信号の少なくともいずれかの信号に対して、
コンテンツ単位、またはコンテンツを構成するシーン、あるいはフレーム単位で、異なる信号変換処理を実行して出力画像信号を構成する輝度信号または色差信号を生成する（１）または（２）に記載の画像表示制御装置。
【０１４４】
（４）  前記データ処理部は、
前記コンテンツオリジナルの入力画像信号に対して、
コンテンツ単位、またはコンテンツを構成するシーン、あるいはフレーム単位で、異なるホワイトバランス調整処理、またはガンマ補正処理、または色温度調整処理の少なくともいずれかの処理を実行して出力画像信号を生成する（１）〜（３）いずれかに記載の画像表示制御装置。
【０１４５】
（５）  前記表示制御アプリケーションは、
コンテンツの再生時間情報と各再生時間に対応する画像信号に適用する信号変換アルゴリズムを規定したアプリケーションであり、
前記データ処理部は、
前記表示制御アプリケーションから、コンテンツの再生時間に対して規定された信号変換アルゴリズムを、順次選択適用して出力画像信号を生成する（１）〜（４）いずれかに記載の画像表示制御装置。
【０１４６】
（６）  前記信号変換アルゴリズムは、前記センサ検出信号に応じて変換態様が変更されるアルゴリズムであり、
前記データ処理部は、
前記センサ検出信号に応じた異なる信号変換処理によって、環境光に応じて異なる出力画像信号を生成する（１）〜（５）いずれかに記載の画像表示制御装置。
【０１４７】
（７）  前記データ処理部は、
前記センサ検出信号に基づくパラメータを算出し、
算出したパラメータを前記信号変換アルゴリズムに適用して、環境光に応じて異なる出力画像信号を生成する（１）〜（６）いずれかに記載の画像表示制御装置。
【０１４８】
（８）  前記センサ検出信号は、輝度信号と色差信号を含み、
前記データ処理部は、
前記センサ検出信号に含まれる輝度信号と色差信号に基づくパラメータを算出し、
算出したパラメータを前記信号変換アルゴリズムに適用して、環境光に応じて異なる出力画像信号を生成する（１）〜（７）いずれかに記載の画像表示制御装置。
【０１４９】
（９）  表示部に表示するコンテンツと、該コンテンツに対応する表示制御アプリケーションを、通信部を介して送信するデータ処理部を有し、
前記表示制御アプリケーションは、
表示部周囲の環境光情報を取得するセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理によって出力画像信号を生成させるプログラムを記録したアプリケーションである送信装置。
【０１５０】
（１０）  前記表示制御アプリケーションは、
前記コンテンツオリジナルの入力画像信号に含まれる輝度信号および色差信号の少なくともいずれかの信号に対して、
コンテンツ単位、またはコンテンツを構成するシーン、あるいはフレーム単位で、異なる信号変換処理を実行して出力画像信号を構成する輝度信号または色差信号を生成させるプログラムを記録したアプリケーションである（９）に記載の送信装置。
【０１５１】
（１１）  前記表示制御アプリケーションは、
前記コンテンツオリジナルの入力画像信号に対して、
コンテンツ単位、またはコンテンツを構成するシーン、あるいはフレーム単位で、異なるホワイトバランス調整処理、またはガンマ補正処理、または色温度調整処理の少なくともいずれかの処理を実行して出力画像信号を生成させるプログラムを記録したアプリケーションである（９）または（１０）に記載の送信装置。
【０１５２】
（１２）  画像表示制御装置において実行する画像表示制御方法であり、
前記画像表示制御装置は、表示部に出力する画像信号の制御を実行するデータ処理部を有し、
前記データ処理部は、
前記表示部に表示するコンテンツ対応の表示制御アプリケーションを実行して、出力画像信号を生成する処理を実行し、
前記出力画像信号の生成処理において、
前記表示部の周囲の環境光情報を取得するセンサからセンサ検出信号を入力し、
前記センサ検出信号を適用して前記コンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する画像表示制御方法。
【０１５３】
（１３）  画像表示制御装置において出力画像信号生成処理を実行させるプログラムであり、
前記プログラムは、表示部に表示するコンテンツ対応の表示制御アプリケーションであり、
表示部の周囲の環境光情報であるセンサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成するプログラム。
【０１５４】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１５５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１５６】
以上、説明したように、本開示の一実施例の構成によれば、コンテンツ単位、またはシーン、あるいはフレーム単位で環境光に応じて信号変換処理を実行して出力画像を生成する装置、および方法が実現される。
具体的には、表示部に出力する画像信号の制御を実行するデータ処理部を有し、データ処理部は、表示部に表示するコンテンツ対応の表示制御アプリケーションを実行して、出力画像信号を生成する。データ処理部は、表示部の周囲の環境光情報を取得するセンサからセンサ検出信号を入力し、センサ検出信号を適用してコンテンツオリジナルの入力画像信号に対して、コンテンツ単位、またはコンテンツを構成するシーン、あるいはフレーム単位の異なる信号変換アルゴリズムを適用した信号変換処理により出力画像信号を生成する。
本構成により、コンテンツ単位、またはシーン、あるいはフレーム単位で環境光に応じて信号変換処理を実行して出力画像を生成する装置、および方法が実現される。
【符号の説明】
【０１５７】
１１  放送局
１２  コンテンツサーバ
２０  アプリケーションサーバ
３０  テレビ
３１  環境光センサ
１５０  サーバ
１５１  データ処理部
１５２  通信部
１５３  記憶部
１７０  画像表示制御装置
１７１  データ処理部
１７２  通信部
１７３  記憶部
１７４  入力部
１７５  出力部
１７６  センサ
２０１  ＣＰＵ
２０２  ＲＯＭ
２０３  ＲＡＭ
２０４  バス
２０５  入出力インタフェース
２０６  入力部
２０７  出力部
２０８  記憶部
２０９  通信部
２１０  センサ
２１０  ドライブ
２１１  リムーバブルメディア
【図１】
2016047287.tif 000003
【図２】
2016047287.tif 000004
【図３】
2016047287.tif 000005
【図４】
2016047287.tif 000006
【図５】
2016047287.tif 000007
【図６】
2016047287.tif 000008
【図７】
2016047287.tif 000009
【図８】
2016047287.tif 000010
【図９】
2016047287.tif 000011
【図１０】
2016047287.tif 000012
【図１１】
2016047287.tif 000013
【図１２】
2016047287.tif 000014
【図１３】
2016047287.tif 000015
【図１４】
2016047287.tif 000016
【図１５】
2016047287.tif 000017
【図１６】
2016047287.tif 000018
【図１７】
2016047287.tif 000019
【図１８】
2016047287.tif 000020
【図１９】
2016047287.tif 000021
【国際調査報告】
2016047287.tif 000022
2016047287.tif 000023
2016047287.tif 000024
2016047287.tif 000025